(57)【特許請求の範囲】
【請求項１】
撮影レンズを有するレンズ鏡筒において、
上記撮影レンズの光軸と平行な直進溝若しくは上記撮影レンズの光軸に対して傾斜させた溝であるガイド溝と、上記撮影レンズの光軸と斜行する斜行溝とを有する第１の枠と、
上記第１の枠の斜行溝と係合するカムフォロアと、第３の枠の斜行溝に係合するカムフォロアとを有する第２の枠と、
上記撮影レンズの光軸に斜行する上記斜行溝と、上記第１の枠の上記ガイド溝と係合するカムフォロアとを有する上記第３の枠と、
を有しており、上記第１の枠は、回転による駆動力を直接的に上記斜行溝により上記第２の枠と、上記第３の枠に伝達して、上記第２の枠を光軸方向に移動させ、上記第３の枠は、上記第１の枠の回動動作と、上記第２の枠の上記光軸方向移動を受けてさらに光軸方向移動が加えられることを特徴とするレンズ鏡筒。
【発明の詳細な説明】
【０００１】
【発明の属する技術分野】
本発明は、撮影レンズを支持する進退可能な複数の枠部材を有するレンズ鏡筒に関する。
【０００２】
【従来の技術】
近年においては、ズームレンズのさらなる長焦点距離化に伴って、レンズ群の進退移動量がさらに大きいレンズ鏡筒が要求されている。そのような状況にあって提案された特開平２−８９０１２号公報に開示のズームレンズ鏡筒は、駆動環を回動駆動することにより第１のレンズ群支持枠と第２のレンズ支持枠をより大きく進退駆動させることが可能な鏡筒である。そして、上記駆動環には、上記第１のレンズ群支持枠を進退させる第１のカム溝と、駆動カムを進退させる第２のカム溝とが配設されており、上記第２のレンズ支持枠は、上記駆動カムを介して進退駆動される。
【０００３】
【発明が解決しようとする課題】
上記特開平２−８９０１２号公報に開示のズームレンズ鏡筒おいては、第１のレンズ支持枠は、直接、駆動環によって進退駆動され、一方、第２のレンズ支持枠は、駆動環から駆動カムを介して進退駆動される。したがって、駆動カムは、第１のレンズ支持枠と同程度の進退量しか得られず、必ずしも大きい移動量を得ることが難しかった。また、第１のレンズ支持枠と第２のレンズ支持枠との相対位置を考えた場合、リフト量の大きな駆動カムが介在することで精度上必ずしも有利であるとはいえない。
【０００４】
本発明は、上述の不具合を解決するためになされたものであり、進退可能な複数の枠部材を有するレンズ鏡筒において、小型化が可能で、枠部材の進退移動量を大きくとり、長焦点距離化が可能なレンズ鏡筒を提供することを目的とする。
【０００６】
本発明のレンズ鏡筒は、撮影レンズを有するレンズ鏡筒において、上記撮影レンズの光軸と平行な直進溝若しくは上記撮影レンズの光軸に対して傾斜させた溝であるガイド溝と、上記撮影レンズの光軸と斜行する斜行溝とを有する第１の枠と、上記第１の枠の斜行溝と係合するカムフォロアと、第３の枠の斜行溝に係合するカムフォロアとを有する第２の枠と、上記撮影レンズの光軸に斜行する上記斜行溝と、上記第１の枠の上記ガイド溝と係合するカムフォロアとを有する上記第３の枠と、を有しており、上記第１の枠は、回転による駆動力を直接的に上記斜行溝により上記第２の枠と、上記第３の枠に伝達して、上記第２の枠を光軸方向に移動させ、上記第３の枠は、上記第１の枠の回動動作と、上記第２の枠の上記光軸方向移動を受けてさらに光軸方向移動が加えられることを特徴とする。
【０００９】
【発明の実施の形態】
以下、本発明の実施の形態を図に基づいて説明する。
図１，２は、本発明の一実施の形態であるレンズ鏡筒５０の分解斜視図、図３は、可動フレア絞り装着部周りの斜視図、図４は、２，３群枠等の分解斜視図である。図５は、レンズ群駆動系の枠部材の一部を示す分解斜視展開図である。また、図６，７は、上記レンズ鏡筒１の各状態での縦断面図であって、図６は、沈胴状態を示し、図７は、上半部が撮影準備状態およびワイド状態を、下半部がテレ状態を示す。図８は、上記可動フレア絞り装着部縦断面図である。なお、図１，２における各部材の回動方向の姿勢は、部材の形状を明らかにするため、必ずしも組み立て状態での姿勢を示しているわけではない。
【００１０】
本レンズ鏡筒５０は、図１に示す沈胴位置から撮影準備位置間、すなわち、沈胴駆動領域の進退駆動を行う沈胴駆動系５０Ａと、図２に示す各レンズ群枠の繰り出し駆動を行うレンズ群駆動系５０Ｂと、レンズ群枠部５０Ｃとからなる。
【００１１】
上記沈胴駆動系５０Ａは、図１に示すように、主にカメラ本体に固定支持され、ヘリコイド駆動ギヤ７および駆動リング３を有する固定枠１と、沈胴位置と撮影準備位置間を進退し、上記撮影準備位置でワイド位置からテレ位置間を回動する回転枠２と、後述する移動枠５に回動自在に支持されるヘリコイドリング４と、上記回転枠２と共に沈胴位置と撮影可能位置間を直進移動する移動枠５とからなる。
【００１２】
上記沈胴駆動系５０Ａの各構造部材について詳細に説明すると、上記固定枠１は、カメラ本体５１（図６参照）に固着して支持されており、その外周部に貫通する移動枠の突起挿通用直進溝１ｄが設けられ、内周部にヘイコイド雌ネジ１ａ、および、直進溝１ｂが設けられている。さらに、先端部に設けられている駆動リング支持部１ｃには、駆動リング３が回動駆動可能に装着され、当て板６により、上記駆動リング３のスラスト位置が規制される。また、外周部に軸方向に沿う長尺ギヤ形状のヘリコイドリング駆動ギヤ７が回転可能に支持され、その歯部は、固定枠内周部に露出している。
なお、上記直進溝１ｂ、および、後述する各直進溝は、撮影光学系の光軸Ｏに平行に設けられる溝とする。
【００１３】
上記駆動リング３には、外周部に図示しないズーム駆動系に噛合して駆動されるズームギヤ３ａおよび図示しないファインダ駆動系に噛合して駆動されるファインダギヤ３ｂとが設けられ、内周部に切り欠き状の凹部３ｃが設けられている。
【００１４】
上記回転枠２には、内周部に直進溝２ａと、内周前方（被写体側）端部に内周溝２ｂが設けられ、外周部に突起２ｃが設けられている。また、上記ヘリコイドリング４には、その外周部にヘリコイド雄ネジ４ａと駆動ギヤ４ｂとが設けられている。
【００１５】
上記移動枠５には、その外周部にストロボ駆動用突起５ａと、直進ガイド用突起５ｂ，５ｃと、突起５ｄと上記突起５ｂ，５ｃの間のリング状リブ間に形成される周方向ガイド５ｅと、先端に突起５ｆとが設けられ、内周部に３組の複列の直進溝５ｇが設けられている。さらに、内外周を貫通し、光軸Ｏに対する斜行溝部を有する３つのカム溝５ｈが設けられている。
【００１６】
上述の各部材で構成される沈胴駆動系５０Ａにおいて、上記移動枠５にはその周方向ガイド５ｅに上記ヘリコイドリング４が嵌入し、軸方向位置が規制された状態で回動自在に保持され、さらに、内周部には後述するレンズ群駆動系５０Ｂおよび各レンズ群枠部５０Ｃが回動，進退自在に組み込まれる。その移動枠５は、回転枠２の内周部に嵌入されるが、その嵌入状態で突起５ｆが内周溝２ｂと係合するので、回転枠２に対して軸方向位置が規制された状態で回動自在に支持されることになる。
【００１７】
上記回転枠２および移動枠５は、それぞれ突起２ｃ，５ｃ，５ｂを直進溝１ｂおよび１ｄに嵌入させた状態で固定枠１に直進可能状態で挿入される。そのとき、ヘリコイドリング４のヘリコイド雄ネジ４ａを固定枠１のヘリコイド雌ネジ１ａに、また、駆動ギヤ４ｂをヘリコイドリング駆動ギヤ７にそれぞれ噛合させる。
【００１８】
上記回転枠２および移動枠５の固定枠１への組み付け状態において、移動枠５と回転枠２がフィルム面側の沈胴位置にあるときに（図６参照）、ヘリコイドリング駆動ギヤ７を時計回り（被写体側から見て）Ｂ1 方向に回転させると、ヘリコイドリング４が反時計回りＣ1 方向に回動する。その回動によって移動枠５と回転枠２がＤ1 方向（被写体側方向）に一体的に撮影準備位置まで繰り出される（図７の上半部分参照）。
【００１９】
上記撮影準備位置に到達した状態では、回転枠２は、その突起２ｃが固定枠１の直進溝１ｂから外れ、駆動リングの凹部３ｃ側に嵌合する。この状態でズーム駆動系により駆動リング３をＥ0 方向に回動駆動させると、回転枠２が回動し、撮影準備位置から同方向に僅か回動してワイド位置へ到達し、さらに、同方向に回動するとテレ位置へズーム駆動される。なお、駆動リング３を上述とは逆方向のＥ1 方向に回転駆動することによって、回転枠２がズーム位置から撮影準備位置へ回動し、さらに、ヘリコイドリング駆動ギヤ７を上述とは逆方向のＢ0 方向に回転駆動することによって、回転枠２および移動枠５を沈胴位置に繰り込むことができる。
【００２０】
次に、上記レンズ群駆動系５０Ｂについて説明する。
レンズ群駆動系５０Ｂは、図２，３，４，８に示すように、主に可動フレア絞り１５を支持する枠部材であって、移動枠５内に嵌入して進退駆動され、回転枠２と共に回転する第１の枠であるカム枠Ｍ１１と、カム枠Ｍ１１と共に回転し、２群枠２２を介して進退駆動される第３の枠であるカム枠Ｆ１２と、キー押さえ１４が固着され、レンズ群枠を直進ガイドする直進手段であるキーリング１３と、カム枠Ｍ１１に支持され、直進移動する絞り部材である可動フレア絞り１５とからなる。
【００２１】
上記レンズ群駆動系５０Ｂを構成する各部材について詳細に説明する。
上記カム枠Ｍ１１は、上記移動枠５の内周に回動かつ進退可能に嵌入する部材であり、外周部には、可動フレア絞りの先端凸部１５ｃが摺動する第２の摺動面としての外周面１１ａと、圧入して固着される軸部を持つ３つのカムフォロワ１７と、上記カムフォロワ１７の軸部に回転自在に嵌入する３つのカムフォロワ１８と、段差面としての段差側面１１ｂと、段差周面１１ｃと、所定幅の端部外周面１１ａ′と、段差周面１１ｃの周方向に隣接する周方向傾斜面１１ｄとが設けられている。また、内周部には、フィルム面側端部に設けられる内周溝１１ｅと、３つの直進溝１１ｆと、光軸Ｏに対し傾斜する斜行溝部を有する３つの２群カム溝１１ｇとが設けられている。
【００２２】
なお、上記段差周面１１ｃは、フィルム面側端部に上記外周面１１ａより一段低く形成される面であって、可動フレア絞り１５の腕部の先端凸部１５ｃが摺接する第１の摺動面である。なお、上記段差周面１１ｃの軸方向の幅は、先端凸部１５ｃが周方向に摺動できるように先端凸部１５ｃの軸方向の幅よりも僅かに大きいものとする。
【００２３】
また、上記端部外周面１１ａ′は、上記段差周面１１ｃの周方向に設けられる上記外周面１１ａと同一径の面であって、可動フレア絞り１５の先端凸部１５ｃが摺接する所定幅の第２の摺接面である。
【００２４】
上記周方向傾斜面１１ｄは、段差周面１１ｃと端部外周面１１ａ′とを連続して繋ぐ周方向の傾斜面である（図３参照）。
段差側面１１ｂは、上記外周面１１ａと段差周面１１ｃとの間の軸垂直の側面である（図３参照）。
【００２５】
上記カム枠Ｆ１２は、上記カム枠Ｍ１１の内周に進退可能に嵌合する部材であって、外周部には３つの突起１２ａが設けられ、内周部には光軸Ｏに対し傾斜する斜行溝部を有する各３つの１群カム溝１２ｂ，２群カム溝１２ｃと、１つの３群カム溝１２ｄとが設けられている。
【００２６】
上記可動フレア絞り１５は、極薄板の部材であって、中央部に設けられるフレア絞り開口部となる開口１５ａと、装着前の自由状態で光軸Ｏに平行な方向から多少内側に向けて延出する弾性変形可能な部分であって、その先端部に周方向に突状の先端凸部１５ｃを有する３つの腕部１５ｂとが設けられている。組み付け状態において、上記先端凸部１５ｃは、上記腕部１５ｂが弾性変形してカム枠Ｍ１１の外周部１１ａ、または、段差周面１１ｃに所定付勢力で当接するものとする。
【００２７】
上記キーリング１３は、各レンズ群枠を直進ガイドするための薄板状部材であって、ビス孔１３ａと、位置決め孔１３ｂと、外周に設けられる３つの複列突起１３ｄと、複列突起１３ｄの間の溝１３ｅと、２つの切り欠き１３ｃと、光軸方向に延出する直進キー１３ｆとが設けられている。
【００２８】
なお、上記溝１３ｅの幅は、上記可動フレア絞りの腕部１５ｂが挿通可能であって、先端凸部１５ｃの周方向幅よりも狭い寸法とする。また、上記溝１３ｅの底面の径は、カム枠Ｍ１１の段差周面１１ｃの径と同等、または、小さいものとする（図３，８参照）。
【００２９】
上記キー押さえ１４は、円環の一部がカットされた弾性変形可能な部材であり、外周に沿って設けられる鍔１４ａと、２つのビス用ネジ孔１４ｂと、上記各ネジ孔の側方に設けられ、位置決め孔１３ｂに嵌入可能な位置決めピン１４ｃと、爪状係止部１４ｅを持つ２つの押さえピン１４ｄとが設けられている。
【００３０】
上述の各部材で構成されるレンズ群駆動系５０Ｂにおいて、まず、カム枠Ｍ１１には、その内周の直進溝１１ｆに突起１２ａを嵌合させた状態でカム枠Ｆ１２が進退摺動自在に嵌入され、さらに、カム枠Ｍ１１およびカム枠Ｆ１２内周部には、後述する各レンズ群枠が進退自在に組み込まれる。
【００３１】
レンズ群枠等が組み込まれたカム枠Ｍ１１は、沈胴駆動系５０Ａの移動枠５の内周部に回動自在に嵌入され、カム枠Ｍのカムフォロワ１８がカム溝５ｈに摺動自在に嵌入する。さらに、カムフォロワ１８の軸部となるカムフォロワ１７は、移動枠５を挿通して、回転枠２の直進溝２ａに摺動自在に嵌入する。そして、カムフォロア１７は、さらに、回転枠２の直進溝２ａに摺動可能となった状態で嵌合している。したがって、回転枠２の回動に伴いカム枠Ｍ１１が共に回動しながら、移動枠５のカム溝５ｈによって光軸方向へ進退駆動される。
【００３２】
キー押さえ１４は、径方向に広げた状態で鍔１４ａをカム枠Ｍ１１の内周溝１１ｅに嵌入される。そのキー押さえ１４にキーリング１３が位置決めピン１４ｃと位置決め孔１３ｂで位置決めされた状態で取り付けられ、ビス１６により固着状態とする。したがって、キーリング１３は、カム枠Ｍ１１に対してフィルム側端部に軸方向位置が規制された状態で回動自在に支持される。
【００３３】
なお、上述のキーリング取り付け状態では、図８に示すようにキー押さえ１４の押さえピン１４ｄがキーリング１３の切り欠き１３ｃに嵌入し、押さえピン１４ｄの係止部１４ｅが係合しており、キー押さえ１４とキーリング１３とは隙間なく保持される。
【００３４】
上記キーリング１３は、その複列の突起１３ｄが直進進退する移動枠５の複列の直進溝５ｇに摺動自在に嵌入されるので、回動することなく直進駆動される。さらに、キーリング１３の直進キー１３ｆが後述する２群レンズ枠２２の直進ガイド孔２２ｃに摺動自在に嵌入されるので、上記２群枠２２、および、２群枠に支持される１群枠２１，３群枠２３が直進ガイドされる。
【００３５】
可動フレア絞り１５は、その腕部１５ｂが上記キーリングの凹部１３ｅをフィルム面側から挿通し、先端凸部１５ｃが上記カム枠Ｍ１１の外周面１１ａ、または、段差周面１１ｃに摺接可能な状態で取り付けられる。
【００３６】
次に、上記レンズ群枠部５０Ｃについて説明する。
レンズ群枠部５０Ｃは、カム枠Ｍ１１，カム枠Ｆ１２に内蔵され、直進移動する各レンズ群保持枠で構成され、上記カム枠Ｆ１２を介して進退駆動され、１群レンズ４１を保持する１群枠２１と、上記キーリング１３を介して直進ガイドされ、上記カム枠Ｍ１１によって進退駆動される第２の枠である２群枠２２と、カム枠Ｆ１２を介して進退駆動される可動フォロワ２８と、可動フォロワ２８を介して進退駆動され、３群レンズ４３を保持する３群枠２３と、２群枠２２に保持されてフォーカシング駆動系（図示せず）により直進駆動され、２群レンズ４２を保持するフォーカシング枠２９（図６，７参照）とからなる。
【００３７】
上記２群枠２２には、外周部に各３つのカムフォロワ３２，３３と、その先端部に３つの突起２２ｂが設けられている。内周部には、キーリングの直進キー１３ｆが嵌入する直進ガイド孔２２ｃと、光軸Ｏ方向に沿う軸孔２２ｄ，切り欠き２２ｅと、光軸Ｏ方向に沿って固着支持されたガイド軸２７と、シャッタ４４が装着される開口２２ａが設けられている（図４参照）。
【００３８】
上記１群枠２１は、開口部２１ａに１群レンズ４１を保持しており、外周部に３つのカムフォロワ３１と、内周部に直進溝２１ｂが設けられている。
【００３９】
上記可動フォロワ２８は、３群枠２３の進退位置を規制する部材であり、２群枠２２のガイド軸２７の摺動自在に嵌入する軸孔２８ａと、カムフォロワ２８ｂと、３群枠２３を係止するための係止爪２８ｃとが設けられている。
【００４０】
上記３群枠２３は、２群枠２２により直進方向に摺動自在に支持される部材であって、固着支持されるガイド軸２４，２５と、可動フォロワの係止爪２８ｃとの被係止部２３ｂが設けられ、開口部に３群レンズ４３が保持されている。
【００４１】
フォーカシング枠２９は、２群レンズ４２を保持し、上記２群枠２２に進退可能に支持され、図示しないフォーカシング駆動系によって進退駆動される（図６，７参照）。
【００４２】
以上のような部材からなるレンズ群枠部５０Ｃにおいては、２群枠２２には、被写体側外周の突起２２ｂを１群枠の直進溝２１ｂに摺動自在に嵌入させて１群枠２１が装着される。また、軸孔２２ｄ，切り欠き２２ｅに３群枠のガイド軸２４，２５を摺動自在に嵌入させて３群枠２３が装着される。なお、ガイド軸２４には圧縮バネ２６が挿入されており、常時、３群枠２３は、フィルム面方向への付勢力を受けている。
【００４３】
さらに、２群枠２２には、そのガイド軸２７に軸孔２８ａを摺動自在に嵌入させて可動フォロワ２８が装着される。上記３群枠２３がカメラ本体５１の当接力を受けない状態では、可動フォロワ２８の係止爪２８ｃが３群枠２３の被係止部２３ｂに係合し、３群枠２３の位置決めがなされる。
【００４４】
上述のレンズ群枠部５０Ｃは、前述したレンズ群駆動系５０Ｂのカム枠Ｍ１１およびカム枠Ｆ１２に直進進退可能状態で組み込まれる。また、直進ガイドされるキーリング１３の直進キー１３ｆが２群枠２２の直進ガイド孔２２ｃに摺動自在に嵌入しているので、２群枠２２と共に、１，３群枠２１，２３および可動フォロワ２８も直進進退可能に支持される。
【００４５】
そして、１群枠のカムフォロワ３１は、カム枠Ｆの１群カム溝１２ｂに嵌入し、２群枠のカムフォロワ３２および３３は、カム枠Ｍの２群カム溝１１ｇとカム枠Ｆの２群カム溝１２ｃにそれぞれ嵌入する。さらに、可動フォロワのカムフォロワ２８ｂは、カム枠Ｆの３群カム溝１２ｄに嵌入する。
【００４６】
したがって、カム枠Ｍ１１に対する各枠部材等の進退位置としては、２群枠２２は、カム枠Ｍ１１の２群カム溝１１ｇで位置決めされ、カム枠Ｆ１２は、２群枠２２とカム枠Ｆ１２の２群カム溝１２ｃによって位置決めされる。さらに、可動フォロワ２８がカム枠Ｆの３群カム溝１２ｄによって位置決めされ、３群枠２３は、上記可動フォロワ２８の係止部２８ｃを介して位置決めされる。
【００４７】
ここで、上記カム枠Ｍ１１に対するカム枠Ｆ１２の相対的な回動進退状態の詳細について、図５の枠部材（カム枠Ｍ，カム枠Ｆ，２群枠）の一部を示す模式的分解斜視展開図を用いて説明する。なお、図５の展開図で光軸Ｏと直交している回動方向Ｅ0 ，Ｅ1 、および、光軸Ｏと平行な進退方向Ｄ0 ，Ｄ1 は、図１，２の回動方向Ｅ0 ，Ｅ1 方向および進退方向Ｄ0 ，Ｄ1 と同一とする。
【００４８】
すでに説明したように、カム枠Ｍ１１とカム枠Ｆ１２の駆動系間には２群枠２２が介在しており、カム枠Ｆ１２の進退位置は、カム枠Ｍ１１によって進退駆動される２群枠２２によって位置決めされる。すなわち、前述したようにカム枠Ｆ１２は、その突起１２ａがカム枠Ｍ１１の直進溝１１ｆに嵌入しており、カム溝１２ｃには２群枠のカムフォロア３３が嵌入している。また、２群枠２２は、キーリング１３の直進キー１３ｆで光軸方向にガイドされる状態のもとで上記カムフォロア３３がカム溝１２ｃに嵌入すると同時にカムフォロア３２がカム枠Ｍ１１のカム溝１１ｇに嵌入している。
【００４９】
カム枠Ｍ１１がＥ0 方向に回動しながらＤ1 方向に繰り出され、移動成分Ｇ1 方向に回動，繰り出した場合、２群枠２２は、カム溝１１ｇによりカムフォロア３２を介して光軸Ｏに沿って直進成分Ｇ2 だけ直進移動する。一方、カム枠Ｆ１２は、カム枠Ｍ１１と共にＥ0 方向に回動しながら、カムフォロア３３によりカム溝１２ｃを介して斜め方向に斜行成分Ｇ3 だけ移動する。
【００５０】
上述の２群枠２２の直進の移動成分Ｇ2 は、カム枠Ｍ１１の移動成分Ｇ1 とカカム溝１１ｇの傾斜状態により決められ、カム枠Ｆ１２の斜行成分Ｇ3 による光軸方向の直進成分Ｇ3 ′は、上述の２群枠２２の直進の移動成分Ｇ2 と、カム溝１２ｃの傾斜状態による直進成分とを加えた直進移動量となる。
【００５１】
次に、以上のように構成されたレンズ鏡筒５０の沈胴，繰り出し動作について説明する。
レンズ鏡筒５０が沈胴状態にあるときは、図６に示すように回転枠２等すべての部材は、固定枠１内部に沈胴した状態に保持されている。このとき、３群枠２３と可動フレア絞り１５は、カメラ本体５１のアパーチャ５１ａ近傍に設けられた突起５１ｂで押圧され、収納位置にある。なお、この状態では可動フレア絞り１５の先端凸部１５ｃは、図８に示すようにカム枠Ｍ１１の外周面１１ａ上を摺接しており、前方に移動している。
【００５２】
レンズ鏡筒５０を沈胴状態から撮影準備状態に駆動するには、ヘリコイドリング駆動ギヤ７をＢ1 方向に回転させ、ヘリコイドリング４をＣ1 方向に回動させる。その回動により回転枠２と移動枠５が直進溝１ｂにガイドされながら一体的にＤ1 方向に移動し、沈胴位置から撮影準備位置まで繰り出される（図７上半部分参照）。この状態では、移動枠５は、直進溝１ｄ，１ｂに係合した状態のままであるが、回転枠２は、その突起２ｃが直進溝１ｂから解放され、駆動リング３の凹部３ｃに係合し、駆動リング３によって回動可能な状態となる。
【００５３】
上記撮影準備状態からさらにズーム駆動系によって駆動リング３をＥ0 方向に僅かな角度だけ回動させると、レンズ鏡筒５０は図７の上半部分に示すワイド状態となる。
【００５４】
また、沈胴状態から撮影準備状態およびワイド状態への駆動過程で１群枠２１，２群枠２２は、回転枠２，移動枠５と共に繰り出される。３群枠２３は、圧縮バネ２６の付勢力でカム枠Ｍ１１および２群枠２２から相対的に後方へ離間し、可動フォロワ２８の係止爪２８ｃが３群枠２３の被係止部２３ｂと係合する位置であるワイド対応位置に相対的に後退する。
【００５５】
また、上記駆動過程で可動フレア絞り１５は、カム枠Ｍ１１に対して後退する３群枠２３に押圧され、同様に相対的に後退する。そのとき、腕部１５ｂの先端凸部１５ｃは、図３に示すカム枠Ｍ１１の端部外周面１１ａ′上に到達し、さらに、カム枠Ｍ１１が僅かワイド位置までＥ0 方向に回動すると、連続傾斜面１１ｄを摺動降下して段差周面１１ｃ上に達する。この状態での可動フレア絞り１５は、カム枠Ｍ１１に対して所定の相対位置にあり、正常なフレア絞りとして機能する。
【００５６】
レンズ鏡筒５０のワイド状態からテレ状態への駆動は、駆動リング３をＥ0 方向に回動駆動し、回転枠２を同方向に回動させることによって行われる（図７の下半部参照）。すなわち、回転枠２のＥ0 方向への回動に伴って、カム枠Ｍ１１が回動し、移動枠５のカム溝５ｈに沿って繰り出される。また、カム枠Ｆ１２も直進溝１１ｆによりカム枠Ｍ１１と共に回動し、その繰り出し位置は、カム溝１２ｃの嵌入する２群枠２２のカムフォロワ３３を介して位置決めされる。
【００５７】
そして、２群枠２２は、キーリング１３により直進ガイドされた状態でカムフォロワ３２が嵌入するカム枠Ｍ１１の２群カム溝１１ｇによりテレ対応位置に繰り出される。また、１群枠２１は、カムフォロワ３１が嵌入するカム枠Ｆ１２の１群カム溝１２ｂにより同様にテレ対応位置に繰り出される。さらに、３群枠２３は、可動フォロワ２８がカム枠Ｆ１２の３群カム溝１２ｄにより位置決めされ、その可動フォロワ２８の係止爪２８ｂにより同様にテレ対応位置に位置決めされる。
【００５８】
また、ワイド状態からテレ状態をカム枠Ｍ１１が回動，進退駆動する間、可動フレア絞り１５は、キーリング１３の溝１３ｅによって回動することなく保持され、その先端凸部１５ｃが段差側面１１ｂとキーリング１３の溝１３ｅの側面とで挟まれた状態で段差周面１１ｃ上を摺接する。したがって、可動フレア絞り１５は、カム枠Ｍ１１に対して所定の離間位置に確実に保持され、正常なフレア絞りとして機能する。
【００５９】
次に、レンズ鏡筒５０をワイド状態から撮影準備状態さらに沈胴状態に駆動する場合は、駆動リング３を、一旦、Ｅ1 方向に回動させて撮影準備状態とする。その状態で１群枠２１，２群枠２２は、移動枠５内に繰り込まれている。３群枠２３は、カム枠Ｍ１１に対して相対的にまだ後退した位置にある（図７の上半部分参照）。また、可動フレア絞り１５の腕部の先端凸部１５ｃは、カム枠Ｍ１１がＥ1 方向に回動するので、段差周面１１ｃ上から連続傾斜面１１ｄを摺動して端部外周面１１ａ′上に位置する（図３参照）。
【００６０】
その後、ヘリコイドリング駆動ギヤ７をＢ0 方向に回転駆動して、ヘリコイドリング４をＣ0 方向に回動させると、移動枠５と共に回転枠２がＤ0 方向に後退し、回転枠２の突起２ｃの駆動リング３に対する係合が解放される。さらに、ヘリコイドリング４の回転を続行すると、回転枠２が移動枠５とともにＤ0 方向に移動し、固定枠１内に収納される沈胴位置まで繰り込まれる（図６参照）。
【００６１】
上記の沈胴動作で３群枠２３と可動フレア絞り１５は、カメラ本体５１の突起５１ｂに押圧されて圧縮バネ２６の付勢力に抗して相対的に前進する。そして、３群枠２３は、２群枠２２の内部に収納される（図６参照）。一方、可動フレア絞り１５もカム枠Ｍ１１に対して相対的に光軸方向に前進し、腕部の先端凸部１５ｃがカム枠Ｍ１１の端部外周面１１ａ′から外周面１１ａ上を前方に摺動し、収納状態となる（図６参照）。
【００６２】
以上、説明した本実施の形態のレンズ鏡筒５０によれば、カム枠Ｆ１２の直進方向の移動量が、カム枠Ｍ１１でカム溝１１ｇを介して直進駆動される２群枠２２の直進成分と、カム枠Ｍの回動および２群枠２２のカムフォロア３３とカム枠Ｆのカム溝１２ｃによる直進成分とを加えた移動量となる。したがって、簡単な駆動機構でカム枠Ｆの直進移動量を大きくとることが可能になり、鏡筒の長焦点距離化と小型化が実現できる。
【００６３】
次に、前記実施形態のレンズ鏡筒５０におけるレンズ群駆動系５０Ｂの枠部材であるカム枠Ｍ１１，カム枠Ｆ１２およびレンズ群枠部５０Ｃの２群枠２２に対する変形例について説明する。この変形例は、特に２群枠のガイド方向を光軸Ｏに対して傾斜させ、また、カム枠Ｆをガイドするためのカム枠Ｍのガイド溝を同様に光軸Ｏに対して傾斜させた構造が異なる。以下、図９の本変形例の枠部材の駆動伝達機構部分の模式的分解斜視図と、図１０のカム枠Ｍと２群枠との相対駆動状態を示す模式的展開図と、図１１のカム枠Ｍとカム枠Ｆとの相対駆動状態を示す模式的展開図を用いて異なる部分について説明する。
【００６４】
本変形例の第１の枠であるカム枠Ｍ６１は、その内周面にカム枠Ｆ６３の突起６３ａが摺動自在に嵌入する回転伝達手段のガイド溝６１ｆと、２群枠６２のカムフォロア６４が摺動可能に嵌合する第１のカム手段のカム溝６１ｇが配設されている。その他の構造は、前記実施形態のカム枠Ｍ１１の構造と同様とする。
【００６５】
本変形例の枠部材の第２の枠である２群枠６２は、キーリング１３に設けられるガイドキー６６が摺動自在に嵌入するガイド溝６２ｃと、カム枠Ｍ６１のカム溝６１ｇに摺動自在に嵌入するカムフォロア６４と、カム枠Ｆ６３のカム溝６３ｃに摺動自在に嵌入するカムフォロア６５とが設けられている。その他の構造は、前記実施形態の２群枠２２の構造と同様とする。
【００６６】
本変形例の枠部材の第３の枠であるカム枠Ｆ６３は、カム枠Ｍ６１のガイド溝６１ｆに摺動自在に嵌入する回転伝達手段の突起６３ａと、２群枠６２のカムフォロア６５が摺動自在に嵌入する第２のカム手段のカム溝６３ｃとが設けられている。その他の構造は、前記実施形態のカム枠Ｆ１２の構造と同様とする。
【００６７】
上記キーリング１３のガイドキー６６および上記２群枠６２のガイド溝６２ｃも図１０の展開図に示すように光軸Ｏに対して角度θ2 だけ傾斜している。また、上記カム枠Ｍ６１のガイド溝６１ｆは、図１１の展開図に示すように光軸Ｏに対して角度θ1 だけ傾斜している。
【００６８】
また、カム枠Ｍ６１のカム溝６１ｇおよびカム枠Ｆ６３のカム溝６３ｃは、図１０，１１の展開図に示す形状では光軸Ｏ方向に対して一定の角度で斜行しているが、実際のレンズ鏡筒においては、レンズ繰り出し特性に合わせて適宜変曲したカム溝が適用され、その各部分において以下の駆動動作が対応する。
【００６９】
次に、本変形例の枠部材の進退動作について、図１０，１１を用いて説明するが、図１０，１１に示される符号の後の「−Ａ」と「−Ｂ」は、それぞれ進退駆動前と進退駆動後の位置を示すものとする。
【００７０】
いま、カム枠Ｍ６１がＥ0 方向に回動しながらＤ1 方向に移動し、斜行成分Ｇ11方向に繰り出されたとすると、まず、図１０に示すようにカム枠Ｍ６１のカム溝６１ｇが位置６１ｇ−Ａから６１ｇ−Ｂに移動する。その移動に伴い、２群枠６２のカムフォロア６４がガイドキー６６に平行な方向Ｌ６２ｃに沿って６４−Ａから６４−Ｂに移動して、２群枠６２は、位置６２−Ａから６２−Ｂに斜行成分Ｇ12方向に移動する。そのときの光軸Ｏ方向の直進成分をＳ1 とする。
【００７１】
上記２群枠６２の斜行成分Ｇ12方向の移動に伴い、図１１に示すようにカムフォロワ６５が位置６５−Ａから６５−Ｂまで移動する。その移動によりカム枠Ｆ６３のカム溝６３ｃが位置６３ｃ−Ａから６３ｃ−Ｂ方向に移動する。
【００７２】
一方、カム枠Ｍ６１のガイド溝６１ｆが位置６１ｆ−Ａから６１ｆ−Ｂに移動することから、上記ガイド溝６１ｆに嵌入するカム枠Ｆ６３の突起６３ａは、位置６３ａ−Ａからカム溝６３ｃの移動後の位置６３ｃ−Ｂに平行な方向Ｌ６３ｃ−Ｂ上の位置６３ａ−Ｂまで移動する。
【００７３】
結果的にカム枠Ｆ６３の駆動斜行成分Ｇ13による光軸Ｏ方向の直進成分Ｓ3 は、図１１中の突起６３ａの直進成分Ｓ3 で与えられるが、その移動量は、移動位置Ｐ0 までの上記２群枠６２の直進成分Ｓ1 と、カム枠Ｆ６３のカム溝６３ｃおよびカム枠Ｍ６１のガイド溝６１ｆの移動に伴う移動位置Ｐ0 からの光軸Ｏ方向の直進成分Ｓ2 とを加え合わせた移動量で与えられる。
【００７４】
本変形例の枠部材を適用したレンズ鏡筒によると、上記ガイドキー６６とガイド第溝６２ｃ、および、上記ガイド溝６１ｆを光軸Ｏに対して傾斜させることによりカム枠Ｍ６１の移動量に対して２群枠６２およびカム枠Ｆ６３の光軸方向の移動量をさらに増やすことが容易となる。
【００７５】
なお、カム枠Ｍ６１のガイド溝６１ｆは、上記変形例では、直線状に斜行した形状であったが曲線状のガイド溝であってもよい。また、カム枠Ｍ６１のガイド溝６１ｆの傾斜角θ1 、および、キーリング１３のガイドキー６６の傾斜角θ2 は、図１１、または、１０に示す方向に対して逆方向に傾斜させることも可能である。さらに、上記変形例では、カム枠Ｍが回動と共に光軸方向にも移動する場合の動作例を説明したが、勿論、回動のみ動作するようにしてもよい。
【００７６】
（付記）
上述の実施の形態に基づいて、次のような構成を得ることができる。すなわち、
（１）  第１の枠と、
第２の枠と、
上記第２の枠を直進ガイドする直進手段と、
上記第１の枠と第２の枠との間の直進カム手段と、
第３の枠と、
第１の枠と第２の枠と第３の枠との間の直進回動カム手段と、
を有しており、上記第３の枠は、上記直進カム手段による直進成分と、上記直進回動カム手段による直進成分と合わせた量だけ直進駆動されることを特徴とするレンズ鏡筒。
【００７７】
（２）  第１の枠と、
第２の枠と、
第３の枠と、
上記第１の枠と第２の枠との間の第１のカム手段と、
上記第２の枠と第３の枠との間の第２のカム手段と、
上記第１の枠と第３の枠との間の回転伝達手段と、
を有しており、上記第３の枠は、上記第１のカム手段の作用による直進成分と、上記回動伝達手段の回動動作による上記第２のカム手段の作用により生じる直進成分とを合わせた量だけ直進駆動されることを特徴とするレンズ鏡筒。
【００７８】
（３）  第１の枠と、
第２の枠と、
第３の枠と、
上記第１の枠と上記第２の枠との間に設けられ、上記第２の枠を少なくとも光軸方向に移動させる第１のカム手段と、
上記第２の枠と上記第３の枠との間に設けられ、上記第３の枠を少なくとも光軸方向に移動させる第２のカム手段と、
上記第１の枠と上記第３の枠との間に設けられ、上記第１の枠の回動によって上記第１のカム手段により上記第２の枠および第３の枠をレンズ光軸方向の移動させると共に上記第３の枠を上記第２のカム手段によりさらにレンズ光軸方向に移動させる回動伝達手段と、
を有することを特徴とするレンズ鏡筒。
【００７９】
【発明の効果】
上述のように本発明のレンズ鏡筒によれば、３つの枠のカム手段によって、必要とされる枠の移動量が確保され、鏡筒の小型化が実現できる。
【図面の簡単な説明】
【図１】本発明の一実施の形態であるレンズ鏡筒を構成する沈胴駆動系の分解斜視図。
【図２】上記一実施の形態であるレンズ鏡筒を構成するレンズ群駆動系およびレンズ群枠部の分解斜視図。
【図３】図１，２のレンズ鏡筒の可動フレア絞り装着部周りの斜視図。
【図４】図１，２のレンズ鏡筒の２，３群枠等の分解斜視図。
【図５】図１，２のレンズ鏡筒のレンズ群駆動系の枠部材の一部を示した模式的分解斜視展開図。
【図６】図１，２のレンズ鏡筒の縦断面図であり、沈胴状態を示す。
【図７】図１，２のレンズ鏡筒の縦断面図であり、上半部が撮影準備状態およびワイド状態を、下半部がテレ状態を示す。
【図８】図１，２のレンズ鏡筒の可動フレア絞り装着部周りの縦断面図。
【図９】上記一実施形態のレンズ鏡筒の枠部材の変形例の駆動伝達機構部分の模式的分解斜視図。
【図１０】図９の変形例の枠部材におけるカム枠Ｍと２群枠との相対駆動状態を示す模式的展開図。
【図１１】図９の変形例の枠部材におけるカム枠Ｍとカム枠Ｆとの相対駆動状態を示す模式的展開図。
【符号の説明】
１１  ……カム枠Ｍ（第１の枠）
１２  ……カム枠Ｆ（第３の枠）
２２  ……２群枠（第２の枠）
１１ｆ……直進溝（直進・回動カム手段）
１１ｇ……カム溝
（斜行溝，直進カム手段，第１のカム手段）
１２ｃ……カム溝
（斜行溝，直進・回動カム手段，第２のカム手段）
１２ａ……突起（直進・回動カム手段）
３２  ……カムフォロア（直進カム手段）
３３  ……カムフォロア（直進・回動カム手段）
５０  ……レンズ鏡筒
６１ｇ……カム溝（斜行溝，第１のカム手段）
６３ｃ……カム溝（斜行溝，第２のカム手段）
Ｏ  ……光軸
【図１】
0004285846.tif 000002
【図２】
0004285846.tif 000003
【図３】
0004285846.tif 000004
【図４】
0004285846.tif 000005
【図５】
0004285846.tif 000006
【図６】
0004285846.tif 000007
【図７】
0004285846.tif 000008
【図８】
0004285846.tif 000009
【図９】
0004285846.tif 000010
【図１０】
0004285846.tif 000011
【図１１】
0004285846.tif 000012